(57)【要約】【課題】  ＣＤ又はＤＶＤ用のディスク再生装置は、一般に、スキャンされるディスクを受けるトレイと、スキャンのためのＩＮ位置とディスクをロードするためのＯＵＴ位置との間を移動するいわゆるカムスライダとを含む。適切な動作のためには、トレイ及びカムスライダの、移動及びその端位置が監視されなければならない。このためには、一般に、いくつかのスイッチ又はより複雑な特別なスイッチが必要である。本発明は、異なる方向への移動に対する前記監視操作を実行するための手段を単純化し、特に、１つの単純なスイッチだけでこれを達成することを目的としている。【解決手段】  カムスライダ（２）は、スイッチ（７）のスイッチレバー（６）を移動させるための面取り（５）を備え、更に、前記スイッチレバー（６）を第２の位置（ｂ）に移動させるためのスイッチ作動域（８）を含む制御レバー（１）を備える。該制御レバー（１）はばね（９）の作用に抗してカムスライダ（２）に軸回転するように取り付けられる。この解決法によって、異なる方向への移動が１つの単純なスイッチだけで監視できる。
2005513690.tif 000002
【特許請求の範囲】
【請求項１】
ディスクを受けるトレイ（３）と結合し、ＯＵＴ方向（１３）及びＩＮ方向（１４）へ移動でき、前記トレイ（３）の端位置を示す制御信号を発生させるスイッチ（７）を作動させる可動カムスライダ（２）を含み、前記ディスクを再生位置へロードするための手段を有するディスク再生装置において、
前記カムスライダ（２）は、前記スイッチ（７）のスイッチレバー（６）を第１の位置（ａ）に移動させる面取り（５）を備え、更に、前記スイッチレバー（６）を第２の位置（ｂ）に移動させるスイッチ作動域（８）を含む制御レバー（１）を備え、該制御レバー（１）は、ばね（９）の作用に抗して軸回転するように前記カムスライダ（２）に取り付けられていることを特徴とするディスク再生装置。
【請求項２】
前記制御レバー（１）の第１の端は前記トレイ（３）と結合し、前記制御レバー（１）の第２の端は弾性ばね部材（９）を介して前記カムスライダ（２）と結合していることを特徴とする請求項１に記載のディスク再生装置。
【請求項３】
前記制御レバー（１）の第１の端は、前記トレイ（３）内の溝とかみ合っているピン（１８）を備えることを特徴とする請求項２に記載のディスク再生装置。
【請求項４】
前記弾性ばね部材は、前記制御レバー（１）と一体部分を形成している弾性ばねレバー（９）によって実現され、該ばねレバー（９）の端は、前記カムスライダ（２）に締め付けられることを特徴とする請求項２に記載のディスク再生装置。
【請求項５】
前記ばねレバー（９）は、前記カムスライダ（２）内で開口部（２１）とかみ合っているフック型の端を備えることを特徴とする請求項４に記載のディスク再生装置。
【請求項６】
前記スイッチ作動域（８）は長方形の表面を有し、該スイッチ作動域（８）は、傾斜し、前記カムスライダ（２）の移動方向時（１３、１４）に、面取り（５）に対して変位することを特徴とする請求項１に記載のディスク再生装置。
【請求項７】
前記カムスライダ（２）に対する前記制御レバー（１）の軸回転移動を可能にするために、前記制御レバー（１）は、前記カムスライダ（２）の開口部（１０）内にもうけられる拡大部（１７）を備えることを特徴とする請求項１に記載のディスク再生装置。
【請求項８】
前記長方形の表面は、前記制御レバー（１）の前記拡大部（１７）の外壁で形成されていることを特徴とする請求項６又は７に記載のディスク再生装置。
【請求項９】
前記カムスライダ（２）のＯＵＴ方向（１３）への移動操作の最後に、前記スイッチ作動域（８）が前記ばね（９）の作用に対して前記スイッチレバー（６）から離され、前記スイッチレバー（６）が前記スイッチ作動域（８）から解放されるように、前記制御レバー（１）が前記トレイ（３）と結合していることを特徴とする請求項１に記載のディスク再生装置。
【請求項１０】
前記トレイ（３）及び前記カムスライダ（２）は、同一のモータ（４）によって駆動されることを特徴とする請求項１に記載のディスク再生装置。
【請求項１１】
前記カムスライダ（２）の端ＯＵＴ位置で、前記駆動シャフト（１９）と前記カムスライダ（２）との間のはめ込み結合が一時停止され、前記カムスライダ（２）が端ＯＵＴ位置に到達していても、前記モータ（４）が前記トレイを動かし続けることができるように、前記駆動モータ（４）の前記駆動シャフト（１９）が前記カムスライダ（２）と結合していることを特徴とする請求項１０に記載のディスク再生装置。
【請求項１２】
前記スイッチ（７）は、該スイッチ（７）のスイッチレバー（６）の、第１の端位置（ａ）、第２の端位置（ｂ）及び中央位置（ｃ）それぞれを示す３つの出力部を備えることを特徴とする請求項１に記載のディスク再生装置。
【発明の詳細な説明】
【技術分野】
【０００１】
本発明は、請求項１の前文によるディスク再生装置に関し、特に、ディスクを再生位置へロードするための手段、及び、再生装置のキャビネットへのトレイのロード動作の端位置と、該再生装置のキャビネットからの対応するトレイの逆の動作の端位置とを示す制御信号を発生させるための手段に関する。
【背景技術】
【０００２】
一般にディスク再生装置は、スキャンされるディスクを受けるトレイと結合したいわゆるカムスライダを含む。操作時、カムスライダ及びトレイは、ディスクをロードする端ＯＵＴ位置と、例えば電子レーザピックアップ装置によってディスクをスキャンする端ＩＮ位置との間を、モータによって移動する。適切な操作のためには、カムスライダ及びそれに結合したトレイの移動方向と、該移動の各端位置への到達の両方を監視することが必要であり、これにより、各移動の端位置に到達した場合は、対応する駆動モータのスイッチをオフにし、次の操作ステップへ進むことができる。一般に、カムスライダ及びトレイは、互いに垂直な方向への移動を実行する。
【０００３】
このために、前記移動の方向と、該移動の第１及び第２の方向における端位置とを監視するには、一般に、いくつかのスイッチ又はより複雑な特別なスイッチが必要である。
【発明の開示】
【発明が解決しようとする課題】
【０００４】
本発明は、前記移動の方向と端位置とを監視するための手段を単純化し、特に、１つの単純なスイッチだけで両方の監視を達成することを目的としている。この目的は、請求項１で述べられている特徴により達成される。本発明の有利な実施形態と更なる展開は、従属請求項で述べられる。
【課題を解決するための手段】
【０００５】
従って本発明によると、前記カムスライダは、スイッチのスイッチレバーを第１の位置に移動させるための面取りを備え、更に、前記スイッチレバーを第２の位置に移動させるためのスイッチ作動域を含む制御レバーを備え、該制御レバーは、ばねの作用に抗して軸回転するようにカムスライダに取り付けられている。
【０００６】
本発明による解決法は、いくつかの有利な点を有する。第１に、いくつかの移動及び端位置に対する全ての必要な監視操作は、１つの単純なスイッチだけで行われる。よってコンポーネントの数、組み立ての時間及びその構造体にかかる費用は著しく減少し、全構造体の信頼性が上がる。実際、トレイ及びカムスライダの移動方向が互いに垂直であっても、カムスライダと制御レバーとの複合作用によって、１つの単純なスイッチでトレイの方向及び端位置を検出することが可能である。
【０００７】
本発明の１つの実施形態によると、制御レバーの第１の端はトレイと結合し、制御レバーの第２の端は弾性ばね部材を介してカムスライダと結合している。好ましくは、制御レバーの第１の端は、トレイ内の溝とかみ合っているピンを備える。そのため、トレイが端ＯＵＴ位置に近づいたとき、トレイが制御レバーの軸回転移動を実行できるような単純な方法で達成される。
【０００８】
本発明の別の実施形態によると、弾性ばね部材は、制御レバーと一体部分を形成している弾性ばねレバーによって実現され、該ばねレバーの端はカムスライダに締め付けられる。好ましくは、ばねレバーは、カムスライダ内で開口部とかみ合っているフック型の端を備える。そのため制御レバーの適切な操作に必要なばね作用は、更なるコンポーネントの必要なしに達成される。特に、ばね作用を達成するための別のばねは必要ない。
【０００９】
本発明の別の実施例によると、スイッチ作動域は長方形の表面を有し、該スイッチ作動域は、傾斜し、カムスライダの移動方向時に、面取りに対して変位する。そのためスイッチ作動域は、カムスライダのＯＵＴ方向への移動の間は第１の位置へ、カムスライダのＩＮ方向への移動の間は第２の位置へ、スイッチレバーを切り換えることができる。
【００１０】
本発明の更なる実施形態によると、カムスライダのＯＵＴ方向への移動操作の最後に、スイッチ作動域がばね作用に対してスイッチレバーから離され、スイッチレバーがスイッチ作動域から解放されて従って中央位置へ戻ることができるように、制御レバーがトレイと結合している。
【００１１】
本発明の更なる実施形態によると、スイッチは、スイッチのスイッチレバーの、第１の端位置、第２の端位置及び中央位置それぞれを示す３つの出力部を備える。スイッチの２つの端位置だけでなく、アイドルすなわち中央位置も示すことによって、制御操作の信頼性を上げることができる。
【発明を実施するための最良の形態】
【００１２】
図１は、トレイ（図示なし）と結合し、方向１３及び１４の直進移動が可能なように配置された、いわゆるカムスライダ２を示している。方向１３の移動は、ＯＵＴ位置へと行くことであり、そこでは、ディスクが手動でトレイに挿入又はロードされるように、トレイが再生装置のキャビネットの外に位置している。方向１４の移動は、ＩＮ位置へと行くことであり、そこでは、例えばＣＤ又はＤＶＤといったディスクが、再生用に、光学レーザスキャナのようなスキャン装置によってスキャンできるように、トレイが再生装置のキャビネットの中に引き込まれている。カムスライダ２がＯＵＴ方向１３へ移動すると、トレイは方向１５へ移動する。前記移動は、小歯車１９を介してカムスライダ２の歯型ラック２０にかみ合っているモータ（図示なし）によって達成される。カムスライダ２の上部には制御レバー１があり、該制御レバー１は、ばね作用を発生させ且つカムスライダ２内で開口部２１とかみ合っているフック型の端を有する弾性ばねレバー９が終端である。制御レバー１の拡大部１７は、ばねレバー９のばね作用に対して制御レバー１が切り換え点１１で方向２３に軸回転できるよう、カムスライダ２の開口部１０内にもうけられる。カムスライダ２の１つの端は、面取り５を備える。加えて、制御レバー１は、拡大部１７の外壁に傾斜したスイッチ作動域８を持つ。
【００１３】
更に、この再生装置のシャーシは、スイッチレバー６を備えたスイッチ７を含む。スイッチレバー６は、作動していなければ、アイドルすなわち中央位置ｃを想定し、２つの端位置ａ及びｂへ軸回転できる。スイッチ７の３つの出力部は、中央制御電子部（図示なし）に接続されているＰＣＢ（プリント基板）１２に接続されている。カムスライダ２の目的は、正しくスイッチ７を作動させることによって、方向１５、１６へのトレイの移動の端位置を監視することである。スイッチ７の目的は、方向１５及び１６に移動したときのトレイの端位置を監視することである。更に、カムスライダ２は、カーブした構造体２４によって、例えば、ＣＤ又はＤＶＤ再生装置の再生電子部のようないわゆるメカデッキを上昇又は下降させる。トレイがＯＵＴ方向１５へ移動すると、ディスクと再生電子部は下降するつまり下へ動く。
【００１４】
前記構造の動作は以下の通りである。
図１は、ＩＮ位置での構造を示している。スイッチ７は、カムスライダ２によって作動されてはおらず、スイッチレバー６は中央位置ｃのままである。トレイがＯＵＴ方向１５への移動を開始すると、ピン２６と切り離すことによってトレイはカムスライダ２を方向１３へ移動させる。カムスライダ２が方向１３へＯＵＴ位置に向かって移動すると、カムスライダ２の面取り５は始めにスイッチレバー６と接し、該レバーを位置ａへ切り換える。これによって、ＰＣＢ１２を介して中央電子回路へ、カムスライダ２が方向１３へＯＵＴ位置に向かって移動しているということを信号で示す。カムスライダ２が更に方向１３に動くと、スイッチレバー６は、面取り５と開口部１０との間の面取り５に隣接したカムスライダ２の領域のそばで位置ａに保持される。カムスライダ２が更に方向１３へ動くと、スイッチレバー６は、カムスライダ２の端位置に到達するまで制御レバー１のスイッチ作動域８と接するようになり、カムスライダ２は再生装置のシャーシでストッパと接する。しかし、トレイ（図示なし）は更に、ＯＵＴ方向１５へと移動する。これを可能にするために、モータとカムスライダ２との間の駆動機構は、カムスライダ２の右端位置で、モータの小歯車１９とカムスライダ２との間のはめ込み結合が自動的に一時停止されるようになっている。つまり、カムスライダ２が方向１３へ更に動くことはできないが、モータは回転し、方向１５へトレイを駆動し続けることができる。トレイは、カムスライダ２のピン１８とかみ合っているＶ字型の溝を備える。トレイの端位置に到達したとき、トレイはピン１８を介してほぼ転向点１１で方向２３へ制御レバー１を転向させ、そこでは拡大部１７がカムスライダ２の開口部１０内を動くことができる。この、制御レバー１の転向操作によって、弾性ばねレバー９は曲がるか又は変形され、従って、スイッチ作動域８がスイッチ７から離され、スイッチレバー６は解放され中央位置ｃに戻る。それにより、ＰＣＢ１２を介して制御電子部へ、トレイの最終端ＯＵＴ位置に到達し、従って駆動モータへの給電はスイッチオフされなければならないことが信号で示され、再生装置は次の操作ステップに進むことが出来る。
【００１５】
図２は図１とほぼ同構造の平面図である。カムスライダ２はＩＮ位置内であり、まだ方向１３へＯＵＴ位置に向かって動いていない。従ってスイッチレバー６はまだ作動しておらず、中央位置ｃのままである。
【００１６】
図３は、方向１３の移動後の、カムスライダ２の端ＯＵＴ位置を示す。面取り５でのカムスライダ２の端は、再生装置のシャーシでストッパ２２と接する。スイッチレバー６（図３では見えていない）は、スイッチ作動域８の作用によって右位置ａのままである。しかし、図３での位置はまだ、実際監視されるべきトレイの端ＯＵＴ位置ではない。
【００１７】
図４は、トレイの端位置を示す。上述のように、トレイは方向１５へ移動し続けており、制御レバー１は、トレイによって、ピン１８を介して転向位置１１で方向２３へ転向されており、それによってスイッチレバー６が作動域８から解放され、該スイッチレバー６は中央位置ｃを想定し、トレイが端ＯＵＴ位置に到達し対応する駆動モータがスイッチオフされなければならないことを中央制御電子部に信号で示す。図３と図４を比較すると、ばねレバー９の変形と同様、トレイによって起こる制御レバー１の転向操作がわかる。
【００１８】
そして、逆方向で、トレイ及びカムスライダ２がＩＮ位置すなわち方向１４及び１６へ動くと、トレイが最初に動き始め、制御レバー１はトレイから影響を受けなくなる。ばねレバー９のばね作用のおかげで、スイッチ作動域８は再びスイッチ７に向かって動き始め、スイッチレバー６を位置ｂに切り換える。これによって、中央制御電子部に、トレイがＩＮ方向１６に移動していることが信号で示される。トレイがピン２６とかみ合っているとき、カムスライダ２はＩＮ方向１４へ移動する。この移動の間、図１のように面取り５が再びスイッチレバー６を解放するまで、スイッチレバー６は位置ｂに切り換わったままである。それからスイッチレバー６は中央位置ｃに切り換わり、中央制御電子部に、トレイ及びカムスライダ２の端ＩＮ位置に到達したことを信号で示す。有利なことに、逆方向への移動及び２つの端位置ＯＵＴ及びＩＮの到達は、３つの位置を有する１つのスイッチ７によって監視される。
【００１９】
最後に、図５は、トレイ３を、ディスクを受ける領域２５と、前述の図では示されていなかった駆動モータ４と、図１で記述されているカーブした構造体２４と共に示した図である。
【図面の簡単な説明】
【００２０】
【図１】本発明によるディスク再生装置の斜視図である。
【図２】カムスライダが端ＩＮ位置にあるときの図１のディスク再生装置の平面図である。
【図３】カムスライダが端ＯＵＴ位置にあるときの図２のような平面図である。
【図４】スイッチレバーが制御レバーのスイッチ作動域から解放されたときの図３の斜視図である。
【図５】トレイと駆動モータとを示すディスク再生装置の斜視図である。
【符号の説明】
【００２１】
１  制御レバー
２  カムスライダ
３  トレイ
４  駆動モータ
５  面取り
６  スイッチレバー
７  スイッチ
８  スイッチ作動域
９  ばね
１０  開口部
１１  転向点
１２  プリント基板
１３  ＯＵＴ方向
１４  ＩＮ方向
１５  ＯＵＴ方向
１６  ＩＮ方向
１７  拡大部
１８  ピン
１９  小歯車
２０  歯型ラック
２１  開口部
２２  ストッパ
２４  カーブした構造体
２６  ピン
【図１】
2005513690.tif 000003
【図２】
2005513690.tif 000004
【図３】
2005513690.tif 000005
【図４】
2005513690.tif 000006
【図５】
2005513690.tif 000007
【国際調査報告】
2005513690.tif 000008
2005513690.tif 000009